(57)【要約】      （修正有）【課題】構造及び組立が単純で、レセプタクルに対しプラグをぐらつかせることなく連結することができ、さらに、小型化が可能な連結機構を提供する。【解決手段】先端に挿込ピン７を備えたプラグ３Ａと、そのプラグ３Ａを着脱可能に係合するレセプタクル３Ｂとからなり、挿込ピン７は、その先端側に周方向に沿って環状の係合溝８が形成されると共に、当該係合溝８を隔てて、根元側にピン軸９が、先端側にピンヘッド１０を形成する。また、レセプタクル３Ｂには、挿込ピン７を挿入する挿込孔６に挿込ピン７を摺動案内する円筒スリーブ１２が嵌着され、当該スリーブ１２は、挿込孔６の奥側に位置する開口端部に複数のすり割片１３が形成されると共に、当該すり割片１３の先端を内側に屈曲して挿込ピン７の係合溝８にスナップ止めされる係合爪１４に形成した。【選択図】図１
0003173806.tif 000002
【実用新案登録請求の範囲】
【請求項１】
先端に挿込ピンを備えたプラグと、前記挿込ピンを挿入することによりプラグを着脱可能に係合するレセプタクルとからなる連結機構において、
前記プラグの挿込ピンは、その先端側に周方向に沿って環状の係合溝が形成されると共に、当該係合溝を隔てて、根元側にピン軸が、先端側にピンヘッドが形成され、
前記レセプタクルには、前記挿込ピンを挿入する挿込孔に挿込ピンを摺動案内する円筒スリーブが嵌着され、
当該スリーブは、挿込孔奥側に位置する開口部に複数のすり割片が形成されると共に、当該すり割片の先端が内側に屈曲されて前記挿込ピンの係合溝にスナップ止めされる係合爪に形成されたことを特徴とする連結機構。
【請求項２】
前記ピンヘッドの係合溝側の角部が面取加工されて面取り部が形成され、挿込ピンを挿込孔に挿入して前記係合爪が係合溝にスナップ止めされたときに、当該係合爪が前記面取り部に当接した状態に係合される請求項１記載の連結機構。
【請求項３】
前記ピンヘッドの係合溝がＶ溝に形成された請求項１記載の連結機構。
【請求項４】
前記プラグ及びレセプタクルに、装身具用索体を連結する索体取付リングが形成されてなる請求項1乃至３いずれか記載の連結機構。
【請求項５】
左右一方の側面に装身具用チェーンの一端が取り付けられる装身具用装飾品の他方の側面に前記挿込孔が形成されて当該装飾品自体が前記レセプタクルに形成され、前記プラグが前記装身具用チェーンの他端側に取り付けられた請求項１乃至４いずれか記載の連結機構。
【考案の詳細な説明】
【技術分野】
【０００１】
本考案は、ネックレスチェーンなど、主として装身具のチェーンを連結するための連結機構に関するものである。
【背景技術】
【０００２】
ネックレスチェーンなどの連結具には様々なタイプがあるが、一般的な引き輪タイプのものは着脱が困難であり、デザイン的にもスマートでないことから、挿込ピンを有するプラグを挿込孔が形成されたレセプタクルに挿脱することにより連結するピンプラグタイプのものが提案されている（特許文献１〜３参照）。
【０００３】
図６に示す従来のピンプラグタイプの連結具５１は、チェーン５２の両端に取り付けられるプラグ５３とレセプタクル５４から成る。
プラグ５３には、レセプタクル５４に挿し込む挿込ピン５５が設けられ、その先端には半球面状のピンヘッド５６が形成されると共に、周面には環状の係合溝５７が形成されている（特許文献１参照）。
【０００４】
また、レセプタクル５４には、挿込ピン５５を挿し込む挿込孔５８が形成され、挿込孔５８を横切るように係合板５９が上下に摺動可能に設けられている。
係合版５９は、挿込ピン５５を挿通し得るように例えばＵ字状に形成され、スプリング６０で上方に付勢されており、レセプタクル５４の外面に形成された解除ボタン６１を押すことによりスプリング６０の弾発力に抗して、下方に摺動することができるようになっている。
【０００５】
この連結具５１を使用してチェーン５２を連結するときは、プラグ５３の挿込ピン５５をレセプタクル５４の挿込孔５７に挿し込めば、挿込ピン５５のピンヘッド５６で係合板５９が押し下げられ、係合溝５７が係合板５９のある位置まで挿入されると、スプリング６０の弾発力により係合板５９が上方に移動して係合溝５７に係合され、これにより、プラグ５３が抜けなくなる。
【０００６】
そして、プラグ５３を抜くときは、解除ボタン６１を押し下げると、係合板５９がスプリング６０の弾発力に抗して下方に摺動し、係合板５９と係合溝５７との係合が解除されるので、そのままプラグ５３を引き抜けば、挿込ピン５５を抜くことができ、プラグ５３がレセプタクル５４から外れる。
【０００７】
しかしながら、この連結具５１は、部品点数が多く構造が複雑であるため、動作不良を起こしやすいという問題があった。
例えば、係合板５９を上下に摺動させるため、レセプタクル５４には係合板５９を案内するガイド溝６２が形成されており、その隙間が大きいとガタツキを生じて動作不良を生じやすいため、ある程度、隙間を狭くしなければならない。
【０００８】
しかし、隙間を狭くすると、塵埃などが付着したり係合板５９が錆びたりしてガイド溝６２との摩擦が大きくなり、スプリング６０が聞かなくなるという問題を生ずる。
すなわち、挿込ピン５５を挿入する際に、係合板５９が下端に移動したまま動かなくなるので、係合溝５７と係合しなくなり、結局、プラグ５３をレセプタクル５４に連結することができなくなってしまう。
【０００９】
このような問題を生じないように、より構造が簡易なものも提案されている。
図７に示す連結具７１は、レセプタクル７２の挿込孔７３に、プラグ７４の挿込ピン７５のピンヘッド７５ａを掴むキャッチ７６が設けられている。（特許文献２参照）
そのキャッチ７６は、ピンヘッド７５ａが挿入される円筒体の挿入端部７６ａに複数のすり割片７７、７７…を形成し、そのすり割片７７の先端を内側に曲げて係合爪７８とし、レセプタクル７２に挿入されたピンヘッド７５ａを係合爪７８でスナップ止めするようになっている。
【００１０】
しかしながら、レセプタクル７２に形成された挿込孔７３は挿込ピン７５をぐらつかせることなく支持することができるように挿込ピン７５と略同径に形成されており、その奥にキャッチ７６を配していることから、キャッチ７６は挿込孔７３の挿入開口部７３ａ側から入れることができず、挿込孔７３をレセプタクル７２の反対側まで貫通させなければならず、さらにその反対側開口部７３ｂを大径に形成しなければ、キャッチ７６を取り付けることができない。
【００１１】
さらに、この場合、レセプタクル７２は、少なくとも、挿込孔７３の挿込ピン７５を支持するサポート部分Ｌ１と、キャッチ７６の長さ分が必要になるため、大型化せざるを得ないという問題もあった。
【００１２】
図８に示す連結具８１は、レセプタクル８２に形成された挿込孔８３の挿入開口部８３ａに、キャッチ８４の係合爪８５が位置するように取り付けたものである。（特許文献３参照）
これによれば、キャッチ８４を挿込孔８３の挿入開口部８３ａ側から嵌着させることができる。
しかしながら、この場合、挿込ピン８７のピン軸８９がプラグ８６に埋設され、ピンヘッド８８のみがキャッチ８４に係合されるため、ピン軸８９をレセプタクル８２側でサポートする部分がないので、レセプタクル８２に対しプラグ８６がぐらついて外れやすいという問題があった。
【先行技術文献】
【特許文献】
【００１３】
【特許文献１】特開２００９−１１５２５号公報
【特許文献２】実用新案登録第３０９４７８３号公報
【特許文献３】特開２０００−１４４１８号公報
【考案の概要】
【考案が解決しようとする課題】
【００１４】
そこで本考案は、構造及び組立が単純で、レセプタクルに対しプラグをぐらつかせることなく連結することができ、さらに、小型化が可能な連結機構を提供することを技術的課題としている。
【課題を解決するための手段】
【００１５】
この課題を解決するために、本考案は、先端に挿込ピンを備えたプラグと、前記挿込ピンを挿入することによりプラグを着脱可能に係合するレセプタクルとからなる連結機構において、前記プラグの挿込ピンは、その先端側に周方向に沿って環状の係合溝が形成されると共に、当該係合溝を隔てて、根元側にピン軸が、先端側にピンヘッドが形成され、前記レセプタクルには、前記挿込ピンを挿入する挿込孔に挿込ピンを摺動案内する円筒スリーブが嵌着され、当該スリーブは、挿込孔奥側に位置する開口端部に複数のすり割片が形成されると共に、当該すり割片の先端が内側に屈曲されて前記挿込ピンの係合溝にスナップ止めされる係合爪に形成されたことを特徴としている。
【考案の効果】
【００１６】
本考案に係る連結機構によれば、レセプタクルの挿込孔に締り嵌めされた円筒スリーブの奥に係合爪が形成されており、プラグの挿込ピンを挿し込んだときに、その挿込ピンに形成された係合溝が係合爪にスナップ止めされる。
このとき、係合溝より根元側のピン軸は、円筒スリーブに支持されるので、プラグがガタツキを生じることがない。
すなわち、円筒スリーブに挿込ピンを挿入すると、その奥でピンヘッドが係合爪に係合され、ピン軸が係合爪に至るスリーブの円筒部で支持されることになるので、別途、レセプタクルに挿込ピンを支持するサポート部を形成する必要がなく、レセプタクルを小型化することも可能となる。
また、円筒スリーブは、挿込孔の挿入開口部側から圧入して嵌着させることができるので、組立も簡単であり、挿込孔を貫通させる必要がない。したがって、大型のレセプタクルにも簡単に取り付けることができる。
【図面の簡単な説明】
【００１７】
【図１】本考案に係る連結機構を利用した連結具を示す分解図。
【図２】その断面図。
【図３】他の実施形態を示す正面図。
【図４】その平面図。
【図５】さらに他の実施形態を示す説明図。
【図６】従来の連結機構を示す説明図。
【図７】従来の連結機構を示す説明図。
【図８】従来の連結機構を示す説明図。
【考案を実施するための形態】
【００１８】
本例では、構造及び組立が単純で、レセプタクルに対しプラグをぐらつかせることなく連結することができ、さらに、小型化を可能にするという目的を達成するために、先端に挿込ピンを備えたプラグと、前記挿込ピンを挿入することによりプラグを着脱可能に係合するレセプタクルとからなる連結機構において、前記プラグの挿込ピンは、その先端側に周方向に沿って環状の係合溝が形成されると共に、当該係合溝を隔てて、根元側にピン軸が、先端側にピンヘッドが形成され、前記レセプタクルには、前記挿込ピンを挿入する挿込孔に挿込ピンを摺動案内する円筒スリーブが嵌着され、当該スリーブは、挿込孔奥側に位置する開口端部に複数のすり割片を形成する共に、当該すり割片の先端を内側に屈曲して前記挿込ピンの係合溝にスナップ止めされる係合爪を形成した。
【実施例１】
【００１９】
図１及び図２に示す連結具１は、本考案に係る連結機構を利用したもので、ネックレスなどのチェーン２の一端に取り付けられるプラグ３Ａを、当該チェーン２の他端に取り付けられたレセプタクル３Ｂに着脱可能に装着することにより当該チェーン２を環状に連結するものであり、プラグ３Ａ及びレセプタクル３Ｂには、それぞれにチェーン取付リング（索体取付リング）４Ａ及び４Ｂが形成されている。
【００２０】
プラグ３Ａは、チェーン取付リング４Ａが形成されたディスク状のプラグ本体５の反対側に、レセプタクル３Ｂに形成された挿込孔６に挿入される挿込ピン７が形成されると共に、当該挿込ピン７の先端側周面には、その周方向に沿って環状の係合溝８が形成されている。
これにより、挿込ピン７は、当該係合溝８を挟んで根元側にピン軸９が形成され、先端側にピン軸９と等しい外径のピンヘッド１０が形成されることとなる。
なお、ピンヘッド１０の係合溝８側の角部は４５°面取り（Ｃ仕上げ）又は丸面取り（Ｒ仕上げ）などの面取り加工が施され、後述する係合爪１４が係合溝８にスナップ止めされたときに当該係合爪１４の先端が当接した状態に係合される顎部（面取り部）１０ａとなっている。
【００２１】
レセプタクル３Ｂは、内周面が前記挿込孔６に形成された有底シリンダ１１と、その挿込孔６に締まり嵌めにより強固に嵌着された円筒スリーブ１２から成り、当該円筒スリーブ１２が挿込孔６の開口部側から圧入されている。
なお、挿込孔６の長さ（深さ）は、挿込ピン７を挿入したときにプラグ本体５が挿通孔６の開口端に当接されるように挿込ピン７の全長より長く形成されている。
【００２２】
円筒スリーブ１２は、挿通孔６に挿入された挿込ピン７を摺動案内すると共に、係合状態に固定するためのもので、挿込ピン７の外径と略等しい内径を有し、その全長は、挿込ピン７の根元からピンヘッド１０の顎部１０ａまでの長さに略等しく形成されている。
そして、挿込孔６奥側に位置する開口部に複数のすり割片１３…が形成され、当該すり割片１３…が内側に屈曲されて挿込ピン７の係合溝８にスナップ止めされる係合爪１４に形成されている。
【００２３】
また、円筒スリーブ１２の長さは、ピン軸９の長さ以上で、且つ、係合溝８の幅を加えた長さ以下に形成され、プラグ３Ａが挿通孔６の開口端に当接するまで挿込ピン７を挿入した状態で、係合爪１４の先端が挿込ピン７の係合溝８に引っ掛かるように形成されている。
【００２４】
係合爪１４は、より具体的には図２（ｂ）に示すように、すり割片１３…を内側に屈曲させることにより、円筒スリーブ１２の内面側から連続する挿込テーパ面１５と、開口端面が傾斜した係止テーパ面１６を有する。
したがって、挿込ピン７を挿入する際は、挿込テーパ面１５がピンヘッド１０によって外側に圧されて係合爪１４が押し拡げられるように弾性変形する。
さらに、ピンヘッド１０が係合爪１４を通過して係合溝８が係合爪１４に掛かる位置まで挿入されると、係合爪１４がバネ弾性により元の位置に戻り、係止テーパ面１６がピンヘッド１０の顎部１０ａに引っ掛かってスナップ止めされることとなる。
【００２５】
これにより、チェーン２を引っ張る左右方向に力が作用しても、簡単にはプラグ３Ａ及びレセプタクル３Ｂが外れることがない。
また、ピンヘッド１０が円筒スリーブ１２の奥に形成された係合爪４０に係合溝８が引っ掛かって固定されると同時に、挿込ピン７のピン軸９がその全長にわたって円筒スリーブ１２の内周面に摺接されて支持されるので、プラグ３Ａをレセプタクル３Ｂに係合させたときにガタツキが生じにくい。
【００２６】
また、ピン軸９が係合爪に至るスリーブ１２の内周面で支持されることになるので、別途、レセプタクル３Ｂに挿込ピン７を支持するサポート部を形成する必要がなく、レセプタクル３Ｂを小型化することも可能となる。
さらに、円筒スリーブ１２は、挿込孔６の挿入開口部側から圧入して嵌着させることができるので、組立も簡単であり、挿込孔を貫通させる必要がない。したがって、大型のレセプタクルにも簡単に取り付けることができる。
【００２７】
プラグ３Ａ及びレセプタクル３Ｂを外すときは、係合爪１４のバネ弾性に抗して挿込ピン７の軸方向に強く引っ張ると、面取りされた顎部１０ａで係止テーパ面１６が外側に圧し開かれて、係合爪１４が外側へ押し拡げられるように弾性変形し、顎部１０ａと係合爪１４との係合が解かれて、プラグ３Aを容易に外すことができる。
そして、さらに挿込ピン７が引き抜かれて、ピンヘッド１０が係合爪１４から離れると、係合爪１４がバネ弾性により元の位置に戻る。
【実施例２】
【００２８】
図３は本考案に係る連結機構を利用した他の実施例を示す。なお、図１〜２と重複する構成については、同一符号を付して詳細説明を省略する。
【００２９】
本例では、ネックレスチェーンで吊り下げられる装身具用装飾品２０が、そのままレセプタクル２１として機能するもので、チェーン２２の一端に取り付けられ、当該チェーン２２の他端に、実施例１で用いたものと同じプラグ３Ａが取り付けられている。
【００３０】
装飾品２０は、左右一方の側面にチェーン２２の一端が取り付けられるチェーン取付リング２３が形成され、他方の側面に挿込孔２４が形成されている。
挿込孔２４には、実施例１で用いたものと同じ円筒スリーブ１２が、開口部側から圧入されている。
【００３１】
本例によれば、チェーン２２の他端に取り付けられたプラグ３Ａの挿込ピン７を、装飾品２０に形成した挿込孔２４に挿し込むことにより、当該チェーン２２を環状に連結することができ、別途、連結具を要しない。
また、装飾品２０が比較的大きなときでも、挿込ピン７の長さの挿込孔２４を形成して円筒スリーブ１２を圧入すれば足りるので、加工も簡単で、低コストで連結機構を形成することができるというメリットがある。
【実施例３】
【００３２】
図５は、本考案に係る連結機構を利用した他の連結具を示す。なお、図１及び２と共通する部分は同一符号を付して詳細説明は省略する。
本例の連結具３１は、プラグ３Ａの挿込ピン７の先端側周面に、その周方向に沿ってＶ溝で形成された環状の係合溝３２が形成されている以外は、実施例１の連結具１と同様である。
このように、係合溝３２をＶ溝で形成すれば、実施例１のように別途面取り加工を施す必要がない。
【００３３】
本例によれば、プラグ３Ａの挿込ピン７をレセプタクル３Ｂに挿込孔６の奥まで挿し込んだときに、係合溝３２のピンヘッド１０側のテーパ面３３に係合爪１４の先端が引っ掛かってスナップ止めされることになる。
【００３４】
また、プラグ３Ａ及びレセプタクル３Ｂを外すときは、係合爪１４のバネ弾性に抗して挿込ピン７の軸方向に強く引っ張ると、係合溝３２のテーパ面３３で係合爪１４の係止テーパ面１６が外側に圧し開かれて、係合爪１４が外側へ弾性変形し、係合溝３２と係合爪１４との係合が解かれて、プラグ３Aを容易に外すことができる。
【産業上の利用可能性】
【００３５】
本考案は、主としてネックレスチェーンなど装身具のチェーンを連結するための連結機構に適用できる。
【符号の説明】
【００３６】
１    連結具
２    チェーン
３Ａ  プラグ
３Ｂ  レセプタクル
５    ディスク
６    挿込孔
７    挿込ピン
８    係合溝
９    ピン軸
１０    ピンヘッド
１０ａ  顎部
１２    円筒スリーブ
１３    すり割片
１４    係合爪
【図１】
0003173806.tif 000003
【図２】
0003173806.tif 000004
【図３】
0003173806.tif 000005
【図４】
0003173806.tif 000006
【図５】
0003173806.tif 000007
【図６】
0003173806.tif 000008
【図７】
0003173806.tif 000009
【図８】
0003173806.tif 000010